(57)【要約】【課題】遊技領域を狭めず且つ演出効果に富むようにして始動メモリ数を通知するようにした遊技システムを提供すること。【解決手段】遊技機３０００の主制御部２００は、所定動作状態中に遊技球が特別図柄始動口１０４へ入賞したかを判定し、入賞したと判定した場合にデジタルカメラ１５３０を駆動させるための制御信号を送信し、入賞したと判定した場合にはこれを始動メモリとして扱うための制御情報をＲＡＭ２０３に格納する。これに対して、遊技情報表示装置１５００のＣＰＵ１７００は、制御信号の受信に応答してデジタルカメラ１５３０を駆動して画像取り込みを行い、この取り込んだ画像を表示画面１５２１上に所定配置パターンで表示していく。【選択図】　図２０
2004041462.tif 000002
【特許請求の範囲】
【請求項１】
所定動作状態中に遊技球が始動口へ入賞したことに応答して始動メモリ数を増加させるように構成された遊技機と、この遊技機からの遊技情報を表示可能に構成されると共に画像取り込み手段を備えて前記遊技機の上方に設けられた遊技情報表示装置と、を所要の情報を通信可能に接続した遊技システムにおいて、
前記遊技機は、
前記所定動作状態中に遊技球が始動口へ入賞したかを判定する判定手段と、
入賞したと判定した場合に前記画像取り込み手段を駆動させるための制御信号を送信する送信手段と、入賞したと判定した場合にはこれを始動メモリとして扱うための制御情報を格納する制御情報格納手段と、を備え、
前記遊技情報表示装置は、
前記制御信号の受信に応答して前記画像取り込み手段を駆動して画像取り込みを行う画像取り込み制御手段と、この取り込んだ画像を表示画面上に所定配置パターンで表示していく表示手段と、を備えたことを特徴とする遊技システム。
【請求項２】
請求項１に記載の遊技システムにおいて、
前記遊技機は更に、
始動メモリの消化時には格納されている制御情報を用いた制御を行う消化制御手段と、消化制御が行われる旨の第２の制御信号を送信する第２の送信手段とを備え、
前記遊技情報表示装置の表示手段は更に、
前記第２の制御信号の受信に応答して、表示されている取り込み画像を１つずつ消去することを特徴とする遊技システム。
【請求項３】
請求項１および２の内のいずれか一項に記載の遊技システムにおいて、
前記遊技情報表示装置の表示手段は、
取り込み画像の表示画面と遊技情報の表示画面とを切り替え操作に応じて切り替え可能に構成されていることを特徴とする遊技システム。
【発明の詳細な説明】
【０００１】
【発明の属する技術分野】
本発明は、所定動作状態中に遊技球が始動口へ入賞したことに応答して始動メモリ数を増加させるように構成された遊技機と、この遊技機からの遊技情報を表示可能であって画像取り込み手段を備えた遊技情報表示装置とを所要の情報を授受可能に接続した遊技システムに関する。
【０００２】
【従来の技術】
従来の遊技機においては、図柄変動中等の所定動作状態中に始動口への新たな入賞があればこれを始動メモリとして最大４個まで記憶させるように構成されている。そして、始動メモリ数を通知するためのＬＥＤを１個ずつ点灯させて始動メモリ数を通知するように構成されていた。このため最大数が４個ではなく例えば１００個等の多数になった場合には通知するためのＬＥＤ等を多く配設しなければならないためその分、遊技領域が狭まる等の問題があったが、これに対しては始動メモリ数を数で表示する等の対策が提案されていた。
【０００３】
【発明が解決しようとする課題】
しかしながら、始動メモリ数を数で通知するだけでは演出効果に乏しいため、始動メモリ数の最大数が多くなっても遊技領域を狭めず且つ演出効果に富む始動メモリの通知技術の提案が必要であった。なお、例えば特開平１１−９９２８１号公報等には、大当り時に遊技機に設けたＣＣＤカメラで得た画像をプリントアウトする遊技機が開示されているが、これは、順次変化する始動メモリ数のその時点での数を通知するものではなく、また、この遊技機の前面にあたる遊技領域にＣＣＤカメラを設けているため、上記プリントアウトを実現するために、遊技領域が狭まってしまうという問題があった。
【０００４】
本発明は、かかる課題を解決するためになされたもので、遊技領域を狭めず且つ演出効果に富むようにして始動メモリ数を通知するようにした遊技システムを提供することを目的とする。
【０００５】
【課題を解決するための手段】
上記目的を達成するために、本発明は、所定動作状態中に遊技球が始動口へ入賞したことに応答して始動メモリ数を増加させるように構成された遊技機と、この遊技機からの遊技情報を表示可能に構成されると共に画像取り込み手段を備え前記遊技機の上方に設けられた遊技情報表示装置と、を所要の情報を通信可能に接続した遊技システムにおいて、
前記遊技機は、
前記所定動作状態中に遊技球が始動口へ入賞したかを判定する判定手段と、
入賞したと判定した場合に前記画像取り込み手段を駆動させるための制御信号を送信する送信手段と、入賞したと判定した場合にはこれを始動メモリとして扱うための制御情報を格納する制御情報格納手段と、を備え、
前記遊技情報表示装置は、
前記制御信号の受信に応答して前記画像取り込み手段を駆動して画像取り込みを行う画像取り込み制御手段と、この取り込んだ画像を表示画面上に所定配置パターンで表示していく表示手段と、を備えたことを特徴とするようにした。
【０００６】
この発明によれば、遊技機は、所定動作状態中に遊技球が始動口へ入賞したかを判定し、入賞したと判定した場合に画像取り込み手段を駆動させるための制御信号を送信し、入賞したと判定した場合にはこれを始動メモリとして扱うための制御情報を格納する。これに対して、遊技情報表示装置は、制御信号の受信に応答して画像取り込み手段を駆動して画像取り込みを行い、この取り込んだ画像を表示画面上に所定配置パターンで表示していく。したがって始動メモリ数だけの画像が遊技情報表示装置に表示され、遊技領域を狭めず且つ演出効果に富むようにして始動メモリ数を通知することが可能になる。
【０００７】
また、前記遊技機は更に、始動メモリの消化時には格納されている制御情報を用いた制御を行う消化制御手段と、消化制御が行われる旨の第２の制御信号を送信する第２の送信手段とを備え、
前記遊技情報表示装置の表示手段は更に、前記第２の制御信号の受信に応答して、表示されている取り込み画像を１つずつ消去することを特徴とする構成としても良い。
【０００８】
そして、前記遊技情報表示装置の表示手段は、取り込み画像の表示画面と遊技情報の表示画面とを切り替え操作に応じて切り替え可能に構成されるようにすることもできる。
【０００９】
なお、このような動作は、コンピュータ読み取り可能な記録媒体にプログラムを記録しておき、コンピュータがこの記録媒体に記録したプログラムを読み取って実行することによって実現できる。このような記録媒体としては、ＲＯＭ、半導体ＩＣ等の半導体記録媒体、ＤＶＤＲＯＭ、ＣＤＲＯＭ等の光記録媒体、フレキシブルディスク等の磁気記録媒体、ＭＯ等の光磁気記録媒体が挙げられる。また、プログラムは通信網を介して情報処理装置からダウンロードさせることも可能である。
【発明の実施の形態】
以下、本発明の実施の形態を図面を参照しつつ説明する。先ず通常の遊技機の構成や動作を説明してから本発明の特徴部を説明することによって本発明の理解の容易化を図る。
【００１０】
（遊技機側）
図１は遊技盤１０の模式的な説明図である。遊技盤１０の略中央部には、３つ（左、中、右）の表示エリアを有していて、各表示エリアにおいて、独立して数字やキャラクタによる図柄で構成される識別情報が変動表示可能である特別図柄表示装置１００が配設されており、その真下には特別図柄始動口１０４が配設されていて、この特別図柄始動口１０４の両側には普通図柄作動ゲート１０２、１０２が配設されている。また、一対の開閉部材１２０、１２０が特別図柄始動口１０４を形成するように離間して開閉可能に設けられている。
【００１１】
さらに、特別図柄始動口１０４の下方には、大入賞口１０６、普通図柄表示装置１０８、アウト口１１４がこの順で配設されており、さらに、特別図柄始動口１０４の両斜め上方にはランプ表示装置１１０、１１０が配設されていると共に、遊技盤１０の両側端部近傍にもランプ表示装置（より具体的にはＬＥＤ装置）１１２、１１２が配設されている。
【００１２】
そして、特別図柄始動口１０４に遊技球が入賞されて乱数抽選が行われ、この抽選された乱数が大当り値である時には、各表示エリアにおいて少なくとも１つの識別情報の変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り遊技状態（特別遊技状態）となる。
【００１３】
また、普通図柄作動ゲート１０２が遊技球の通過を検出すると、乱数抽選が行われこの抽選された乱数が小当り値である時には、普通図柄表示装置１０８の表示部を所定パターン（例えば「７」や「３」）に表示させ、その後に、開閉部材１２０が開状態となって遊技球が特別図柄始動口１０４に入賞した場合にも、同様に乱数抽選が行われこの抽選された乱数が大当り値である時には、各表示エリアにおける変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り状態（特別遊技状態）となる。一方、入賞されない打球はアウト口１１４を介して排出される。なお、図示しないハンドルを操作することに応じて不図示の発射装置が遊技球を遊技盤１０上に到達させるように構成されていて、遊技球は遊技盤１０上の様々な方向に転動されながら下方向へと流下される。
【００１４】
図２はこのような遊技の進行状況に応じた遊技動作制御が行われる遊技機の主要部のみを示した制御ブロック図である。遊技動作制御を統括する主制御部２００は、ＣＰＵを内蔵したマイクロプロセッサを搭載している。この主制御部２００は、特別図柄表示装置１００を制御するための各種のコマンド等（後述する）を含む多種多様な制御コマンドを格納するコマンドデータテーブル領域２０２および一連の遊技動作制御手順を記述した制御プログラムや制御データ等の遊技動作制御プログラムを格納するＲＯＭ２０１と、ワークエリアが形成されるＲＡＭ２０３とが設けられていて一体型のワンチップマイコンとなっている。主制御部２００が所定周期（例えば４（ｍｓｅｃ））でこの遊技動作制御プログラムを繰り返して実行することによって遊技動作制御が行われることになり、主制御部２００は遊技動作制御を統括している。
【００１５】
主制御部２００には、入力ポート２１０を介して複数のスイッチ群のそれぞれからの検出信号を受信可能に構成されている。即ち、主制御部２００は、特別図柄始動口１０４内部に設けられ遊技球の特別図柄始動口１０４への入賞を検出する特別図柄始動スイッチ３０４、普通図柄作動ゲート１０２の内部に設けられ遊技球のゲート通過を検出する普通図柄作動スイッチ３０６、および、大入賞口１０６の内部に設けられ遊技球の大入賞口１０６への入賞を検出する大入賞口スイッチ３０８等のスイッチ群が接続され、主制御部２００は各スイッチからの遊技球検出に対応した検出信号を受信可能に構成されている。
【００１６】
また、主制御部２００には、出力ポート２１５を介して複数の周辺装置を制御可能に接続されている。より具体的には、主制御部２００には、特別図柄やキャラクタを表示する表示部を３つ有して夫々を独立して可変表示可能でＬＣＤ等で実現される特別図柄表示装置１００、ランプを点灯制御するランプ表示装置１１０、１１２、効果音を発生する効果音発生装置１１６、例えば７セグメント表示デバイスで実現される普通図柄表示装置１０８、始動口の開閉部材１２０を開閉制御するための始動口作動ソレノイド３００、および、大入賞口１０６の幅広な開閉部材を開閉制御するための大入賞口作動ソレノイド３０２等の周辺装置群が接続され、主制御部２００は各装置を制御するための制御信号を送信可能となっている。
【００１７】
そして、主制御部２００は、特に特別図柄表示装置１００に対しては所定数個の表示制御用のコマンドを所定のタイミングで送信可能となっていて、特別図柄表示装置１００は受け取ったコマンドに基いて、主制御部２００に頼らずに自身内のＣＰＵが細かな表示制御を行うようになっている。さらに主制御部２００から特別図柄表示装置１００へコマンドを送信するのみの一方向通信による通信形態を採っている。
【００１８】
また、主制御部２００には、電源供給を行うための電源回路２１２と所定時間毎にリセット信号を出力するリセット回路２１３とが接続されていて、さらに、リセット回路２１３には、主制御部２００から周期的タイマカウンタによって生成されたパルス信号が入力されると共に、電源回路２１２からの電流供給状況を監視するためのモニタ信号が入力される。
【００１９】
さて、図１２に示すように、主制御部２００から特別図柄表示装置１００に送られる表示制御用のコマンドは、コマンドの分類を識別するための識別子で１バイト長のデジタル情報であるモード（ＭＯＤＥ）と、実行されるコマンドの内容（機能）を示す１バイト長のデジタル情報であるイベント（ＥＶＥＮＴ）とでなっており、図６乃至図９は、主制御部２００側のＲＯＭ２０１のコマンドデータテーブル領域２０２や特別図柄表示装置１００側のプログラムＲＯＭ１０４０にに格納された表示制御用コマンドデータの一部を示している。
【００２０】
図６乃至図９に示すように、表示制御用のコマンドには、「特別図柄を変動させるとともに、変動パターンを指定するためのコマンド（第１のコマンド）」、「特別図柄左の停止図柄を指定するコマンド（第２のコマンド）」、「特別図柄中の停止図柄を指定するコマンド（第２のコマンド）」、「特別図柄右の停止図柄を指定するコマンド（第２のコマンド）」、「特別図柄を停止させるためのコマンド（第３のコマンド）」がある。なお、第１のコマンドは図柄をどのようなパターンで変動表示させるか、キャラクタ画像をどのようなパターンで表示演出させるか等を定める変動パターンを指定する情報を含んだコマンドとなっている。主制御部２００は、図柄変動表示を開始させるような遊技状況となったときこれらの５つのコマンドを１回の変動表示制御における所定のタイミングで特別図柄表示装置１００に送信する。
【００２１】
図３は特別図柄表示装置１００のブロック構成図である。特別図柄表示装置１００は、主制御部２００からのストローブ信号やコマンドを受信するためのデータ受信回路１１４０（データレベルを変換する電圧変換回路を含む）と、この電圧変換回路等に電源供給を行う電源回路１１６０と、受信したコマンドに基づいて表示制御を行うために必要な制御データを生成して画像処理用ＬＳＩ（ＶＤＰ）１０６０に出力するＣＰＵ１０２０と、ＣＰＵ１０２０の動作手順を記述したプログラムを内蔵するプログラムＲＯＭ１０４０と、ワークエリアやバッファメモリとして機能するＲＡＭ１０９０と、画像展開処理を行う画像処理用ＬＳＩ（ＶＤＰ）１０６０と、画像処理用ＬＳＩ（ＶＤＰ）１０６０が展開した画像データを一時的に記憶するビデオＲＡＭ１０８０と、画像処理用ＬＳＩ（ＶＤＰ）１０６０が画像展開するために必要なデータを格納したキャラクタＲＯＭ１１８０と、ビデオＲＡＭ１０８０に一時的に記憶された画像データを受け取って送出するＬＣＤパネル用インターフェイス回路１１００と、このＬＣＤパネル用インターフェイス回路１１００から送出された画像データを用いて表示画像を出力するＬＣＤパネル１１２０とを有して構成されている。
【００２２】
図４（ａ）に示すように、キャラクタＲＯＭ１１８０は、ＲＯＭタイトル領域、ＲＯＭ管理情報領域、実際のキャラクタデータを格納したキャラクタイメージデータ領域、キャラクタの色彩データを格納したパレットデータ領域、および、キャラクタの動きを定義した情報を格納したシナリオデータ領域を有している。また、キャラクタデータは特定圧縮方法で圧縮処理された状態でキャラクタイメージデータ領域に格納されており、さらに、図４（ｂ）に示すように、パレットデータ領域は色番号とカラーコードとが対となったものが複数種類格納されている。
【００２３】
そして、特別図柄表示装置１００のＣＰＵ１０２０は、データ受信回路１１４０が受信したコマンドに応じて生成した制御データを画像処理用ＬＳＩ（ＶＤＰ）１０６０に与えると、画像処理用ＬＳＩ（ＶＤＰ）１０６０は、キャラクタイメージデータ領域から獲得したキャラクタデータを解凍してパレットデータ領域から獲得した色彩データで色付けして、シナリオデータ領域から獲得した情報で指定されたビデオＲＡＭ１０８０上の位置に画像展開したデータを一時的に格納し、一時的に格納したデータをＬＣＤパネル用インターフェイス回路１１００に送ることによって、ＬＣＤパネル１１２０によって、変動表示速度変化等を含む様々な画像表示が細かに行われる。
【００２４】
また、図５はコマンド送受信タイミングを示したタイミングチャートである。前述したように、コマンドは１バイト長のモード（ＭＯＤＥ）と、同じく１バイト長のイベント（ＥＶＥＮＴ）から成っている。この例では、主制御部２００は、コマンド変化時に自身が生成するストローブ信号（ＤＵＳＴＢ）の１つ目の立ち上がりを契機としてモード（ＭＯＤＥ）情報を送信し、次いでストローブ信号（ＤＵＳＴＢ）の２つ目の立ち上がりを契機としてイベント（ＥＶＥＮＴ）情報を送信する。すると、これに対応して特別図柄表示装置のＣＰＵ１０２０は、ストローブ信号（ＤＵＳＴＢ）が送信されてくると割り込みを発生させ、この割り込み処理によってコマンドを受信してＲＡＭ１０９０に格納する。
【００２５】
次に、先ず、主制御部２００や特別図柄表示装置１００のＣＰＵ１０２０が行う通常の制御動作を図１０（遊技動作制御のゼネラルフローチャート）や図１１を参照して説明し、その後、本発明の特徴的な動作について説明して本発明の理解の容易化に努める。なお、図１０に示す一連の処理は主制御部２００がＲＯＭ２０１に格納されている図示しない遊技制御プログラムを実行することによって行われる。より具体的には、リセット回路２１３から所定時間（例えば４ｍｓｅｃ）毎に供給されるリセット信号をトリガとして先頭のステップから実行され、この一連の処理が繰り返し実行されるようになっている。
【００２６】
先ず、図示しない電源スイッチによって電源回路２１２を起動状態とすると主制御部２００が起動状態となるが、この電源投入が行われてから初めての処理が実行されたか否かを判定する（ステップＳ１１０）。電源投入後、初めての処理の場合には（Ｙｅｓ）ステップＳ２００に移行する一方、これ以外の場合には（Ｎｏ）ステップＳ１２０に移行する。
【００２７】
ステップＳ２００では、ＲＡＭ２０３の初期化処理として記憶エリアのクリア処理を実行し、次いで、ステップＳ２１０では、初期制御処理を行うためのデータをＲＡＭ２０３の所定の領域にセットする。一方、ステップＳ１２０では、ＲＡＭ２０３内に形成される図示しない、大当り判定用、小当り判定用等の各種の乱数生成用ループカウンタのカウント値をインクリメントし、ステップＳ１３０では、遊技機制御に用いる各種のタイマのタイマ値を更新する。
【００２８】
次に、ステップＳ１４０において、特別図柄始動スイッチ３０４、普通図柄作動スイッチ３０６、大入賞口スイッチ３０８が出力した検出信号を入力ポート２１０を介して図示しない自身内のレジスタに読み込み格納する入力ポート処理を実行し、次いで、ステップＳ１５０に移行してポート入力処理で読み込み格納したデータを把握するためのスイッチチェック処理を実行する。
【００２９】
次に、ステップＳ１６０にて各スイッチ３０４、３０６、３０８等の断線や短絡の有無のチェックを行い、これらの障害が発生している場合には（Ｙｅｓ）ステップＳ２２０に移行する一方、これ以外の場合には（Ｎｏ）ステップＳ１８０に移行する（ステップＳ１７０）。
【００３０】
そして、ステップＳ１８０において、普通図柄表示装置１０８の表示制御に必要なデータをＲＡＭ２０３の所定領域に格納すると共に、特別図柄表示装置１００の表示制御に必要なコマンド（先に図６乃至図９にて説明したコマンドを含む）をＲＡＭ２０３の所定領域に格納して、前記各種のタイマのタイマ値を減じる（ステップＳ１９０）。なお、ステップＳ１８０において、主制御部２００は遊技動作制御に応じて必要なモード、イベントのコマンドをコマンドデータテーブル領域２０２を参照して決定し、決定したモード、イベントを示すデジタル情報をＲＡＭ２０３の所定エリアに格納する。
【００３１】
次に、ステップＳ１９５において、大入賞口１０６と特別図柄始動口１０４の開閉部材１２０とを所定パターンで開閉制御するために、始動口作動ソレノイド３００と大入賞口作動ソレノイド３０２とを駆動制御し、次いで、ステップＳ２２０において、図示しない賞球払出装置に払出し動作を行わせるための制御情報を出力するための賞球セット処理を実行する。さらにステップＳ２３０、２４０、２５０において、図示しない遊技機管理装置に各種の遊技データを出力する外部情報処理、ランプ表示装置１１０、１１２を遊技状態に対応させて点灯制御するためのコマンドをＲＡＭ２０３の所定エリアに格納する表示灯制御処理、効果音発生装置１１６を遊技動作状態に対応させて効果音発生制御を行うためのコマンドをＲＡＭ２０３の所定エリアに格納する効果音処理を実行する。
【００３２】
次に、ステップＳ２６０では、各処理でＲＡＭ２０３に格納したデータを出力ポート２１５を介して対応する装置に出力し（ポート出力処理）、これを受け取った装置側はこれに基づいた制御動作を行う。そして、特別図柄表示装置１００に対して、先ずストローブ信号を出力し、ステップＳ１８０にてＲＡＭ２０３に格納されたモード、イベントのデータを先に図５に示したようにして送信する。これによって、特別図柄表示装置１００には例えば図６乃至図９にて示したコマンドが主制御部２００から送信され受信することになる。
【００３３】
ステップＳ２７０では、リセット回路２１３からリセット信号が入力されるまでリセット待機処理を実行すると共に、リセット信号が入力された場合にはステップＳ１１０に移行して遊技動作制御を継続する。なお、このリセット待機処理としては、先に述べた各種の乱数生成用のカウンタの更新等が挙げられる。
【００３４】
次に、コマンドを受け取った特別図柄表示装置１００のＣＰＵ１０２０の動作について、図１１を参照しつつ説明する。まず、ステップＳ１１００において、ＣＰＵ１０２０は自身のスタックポインタの設定、ＲＡＭ１０９０の初期化、レジスタクリア等の自身の初期化等を行いステップＳ１１０２において、新しいコマンドが入力されたか否かを判断する。新たな表示制御のためのコマンドが入力されたと判断された場合には（Ｙｅｓ）ステップＳ１１０４に移行する一方、これ以外の場合には（Ｎｏ）ステップＳ１１１０に移行する。
【００３５】
ステップＳ１１０４では、図５において説明した割り込み処理において、データ受信回路１１４０が受信したコマンドをＲＡＭ１０９０にコピーし、コマンドが正常か否かのチェック等を行う。次に、ＣＰＵ１０２０は、主制御部２００とは独立して細かな表示制御を行うための必要なコマンドを得るべく、処理テーブル（図示せず）の先頭アドレスを決定し、次いでステップＳ１１０８において、画像処理用ＬＳＩ１０６０へ出力するためにＲＡＭ１０９０の必要なエリアのデータを更新する。
【００３６】
次に、ステップＳ１１１０において、ＲＡＭ１０９０にセットされている図柄制御用データに基づいて、画像処理用ＬＳＩ１０６０へ出力するためのスクロールデータを求めてＲＡＭ１０９０にセットし、図柄表示位置を設定し、次いで、ステップＳ１１１２において、図柄速度制御に必要なデータを、プログラムＲＯＭ１０４０に内蔵されている速度テーブル（図示せず）から取得してＲＡＭ１０９０にセットし、次にステップＳ１１１４において、速度データに基づいて図柄オフセット値を更新し、設定された速度で図柄変動を行うための準備を行う。
【００３７】
次に、ステップＳ１１１６において、ＲＡＭ１０９０にセットされているアニメーション処理用データが格納されているアニメーション処理用テーブル（図示せず）からアニメーションデータを取得し背景画像表示のための準備を行い、ＲＡＭ１０９０内のＶＤＰ出力用バッファにセットし、出力許可フラグが「１」か否かを判断する（ステップＳ１１１８）。
【００３８】
そして、出力許可フラグが「１」でない場合（Ｎｏ）にはステップＳ１１０２に戻って一連の処理を繰り返す一方、出力許可フラグが「１」の場合（Ｙｅｓ）にはステップＳ１１２０にて、ＶＤＰ出力用バッファにセットされているデータを画像処理用ＬＳＩ１０６０に出力する。画像処理用ＬＳＩ１０６０はこれに応じてキャラクタＲＯＭ１１８０のデータを獲得して展開し、展開された画像データはビデオＲＡＭ１０８０に一時的に記憶された後、ＬＣＤパネル用インターフェイス回路１１００に送られＬＣＤパネル１１２０による画像表示が行われる。このようにして、特別図柄表示装置１００における設定された表示位置において設定された速度での図柄変動表示の表示等が行われる。
【００３９】
図１３、図１４はそれぞれ主制御部２００から特別図柄表示装置１００へ送信するコマンドの送信タイミングの一例、および、送信コマンドの説明図である。これらの図を参照すれば分かるように、主制御部２００は、特別図柄始動口１０４に遊技球が入賞した等の所定の条件が満足されると、先ず「図柄変動を開始させるとともに変動パターンを指定するためのコマンドを送信し（▲１▼）、これからＴ１時間経過後に左停止図柄を指定するためのコマンドを送信し（▲２▼）、これからＴ２時間経過後に中停止図柄を指定するためのコマンドを送信し（▲３▼）、これからＴ３時間経過後に右停止図柄を指定するためのコマンドを送信し（▲４▼）、そして、変動開始からＴ時間経過後に全図柄を停止させるためのコマンド（▲５▼）を送信する。
【００４０】
一方、第１のコマンド（▲１▼）を受信した特別図柄表示装置１００のＣＰＵ１０２０は、変動速度変化等の細かな表示制御を行って一連の変動表示制御を行い、第３のコマンド（▲５▼）の受信を契機として変動表示制御を終了させてから、受信した第２のコマンド（▲２▼、▲３▼、▲４▼）で指定された停止図柄での停止表示を行って特別図柄抽選結果を表示する。このようにＣＰＵ１０２０はＶＤＰ１０６０を駆動制御することによってＬＣＤパネル１１２０の表示画面上に所要の画像表示を行うように構成されている。
【００４１】
（特徴部）
本発明の実施形態の遊技情報表示装置１５００は、図１６に示すように、中央部のＬＣＤパネル１５２０とその左右両側のランプ１５１０、１５１０が正面側から見えるように構成されていて、装置外観の筐体は全体的に横長の直方体状に形成されている。そして、この遊技情報表示装置１５００には、その中央部下側にデジタルカメラ１５３０が設けられており、このデジタルカメラ１５３０は遊技者の画像を取り込み可能に設定されている。また、ランプ１５１０、１５１０やＬＣＤパネル１５２０は筐体前面部に埋め込まれるように設けられていて、表示装置１５００全体が突出部の無い外観直方体状に形成されている。
【００４２】
図１７は表示装置１５００のブロック構成図である。ＣＰＵ１７００がＲＯＭ１７１０（記録媒体）に記録された不図示の制御プログラムをＲＡＭ１７２０をワークエリアとして使用しながら実行することによって以下の動作が実現可能に構成されている。ＣＰＵ１７００は、主制御部２００からの遊技情報を受信してランプ１５１０、１５１０を点灯制御したり、ＬＣＤパネル１５２０に所要の情報を表示したりするように構成されている。さらに、ＣＰＵ１７００には音声合成ＬＳＩ１７３０が駆動制御可能に接続されていて、ＣＰＵ１７００が音声合成ＬＳＩ１７３０を駆動すると、これに応じて出力された音声情報がスピーカー１７４０から出力されて遊技者が聞けるようになっている。
【００４３】
例えば、主制御部２００からの大当りを示す大当り信号を受信したＣＰＵ１７００は、所定点灯制御パターンでランプ１５１０、１５１０が点灯するように動作制御を行う。また、特別図柄始動口１０４への遊技球の入賞信号や大当り信号等が主制御部２００から送信される度にＲＡＭ１７２０のスタート回数、大当り回数等を更新しこれをＬＣＤパネル１５２０に表示する。図１８はＲＡＭ１７２０内に形成されるテーブル１８００の説明図であり、図１８に示す一例では、スタート回数、大当り回数等が格納可能になっている。
【００４４】
主制御部２００は入賞信号を得る度にテーブル１８００内のスタート回数の値を１だけ増加更新して格納し、また、大当り信号を得る度にテーブル１８００内の大当り回数の値を１だけ増加更新して格納するといった動作を行ってテーブル１８００の内容を更新していく。そして、ＣＰＵ１７００は、テーブル１８００の内容を参照してＬＣＤパネル１５２０に遊技情報を表示する。図１９はＬＣＤパネル１５２０の表示画面１５２１にスタート回数、大当り回数等が表示された表示画面例を示している。なお、ボタン１５４０の押下操作すると図１９のような遊技情報の表示画面と後に説明する始動メモリ数分の画像を所定配置パターンで表示した表示画面とを切り替え可能にＣＰＵ１７００が構成されている。
【００４５】
そして、通常は図１５に示すように遊技情報表示装置１５００ａ〜１５００ｈをランプ板１６００に設けた遊技機３０００ａ〜３０００ｈで遊技機島１を形成している。なお、遊技機島１の遊技機数は８台に限られない。このように、遊技情報表示装置１５００ａ〜１５００ｈは、遊技機３０００ａ〜３０００ｈ上方のランプ板１６００上に固定されている。
【００４６】
（動作例）
次に図２０を参照して動作例を説明する。まずステップＳ２０００において主制御部２００は図柄変動中に特別図柄始動口１０４の遊技球が入賞したか否かを判定する。入賞したと判定した場合（Ｙｅｓ）にはステップＳ２００２に移行し、一方これ以外の場合（Ｎｏ）にはステップＳ２０００でウエイト状態となる。
【００４７】
ステップＳ２００２に移行する場合には始動メモリ数が１個増えることになるので、画像取り込みを指示する制御信号を送信する。これを受信したＣＰＵ１７００は、デジタルカメラ１５３０を駆動制御する（ステップＳ２００４）。これによって取り込まれた遊技者の画像は縮小してＬＣＤパネル１５２０の表示画面１５２１に表示される（ステップＳ２００６）。図２１（ａ）は縮小された画像２１００が表示画面１５２１に配置表示された例である。この状態での始動メモリ数は１個である。さらに、制御信号が主制御部２００から送信されると、ＣＰＵ１７００はデジタルカメラ１５３０を駆動して新たな画像２１０１を得てこれを、画像２１００の右に図２１（ｂ）の示すように表示していく。かくして始動メモリ数分だけ画像が表示される。なお、画像表示スペースが狭まってきた場合にはＣＰＵ１７００は各画像を再度縮小して表示し直す。
【００４８】
次いでステップＳ２００８において主制御部２００は始動メモリとして扱うための制御情報をＲＡＭ２２０３に格納する。これは始動メモリが消化される場合に使用されるもので、例えば、大当り抽選値、表示図柄情報等が挙げられる。
【００４９】
ステップＳ２０１０において図柄変動が終了して始動メモリの消化タイミングとなったか否かを判定する。消化タイミングになっていない場合（Ｎｏ）にはステップＳ２０００に戻って動作を繰り返す。一方、消化タイミングとなった場合（Ｙｅｓ）にはステップＳ２０１２に移行して、消化制御信号をＣＰＵ１７００に送信する。これを受信したＣＰＵ１７００は画像を１つ消去して１だけ減った始動メモリ数と画像数とを一致させる（ステップＳ２０１４）。これによって例えば図２１（ｂ）に示す表示状態から図２１（ａ）に示す表示状態となる。
【００５０】
ついでステップＳ２０１６において、先にＲＡＭ２０３に格納されていた、対応する制御情報を使用して特別図柄表示装置１００に図柄表示をさせたり、大当りの場合には大入賞口１０６の開放制御を行ったりして始動メモリの消化制御を行ってステップＳ２０００に戻る。
【００５１】
したがってこの実施形態によれば、遊技機３０００の主制御部２００は、所定動作状態中に遊技球が特別図柄始動口１０４へ入賞したかを判定し、入賞したと判定した場合にデジタルカメラ１５３０を駆動させるための制御信号を送信し、入賞したと判定した場合にはこれを始動メモリとして扱うための制御情報をＲＡＭ２０３に格納する。これに対して、遊技情報表示装置１５００のＣＰＵ１７００は、制御信号の受信に応答してデジタルカメラ１５３０を駆動して画像取り込みを行い、この取り込んだ画像を表示画面１５２１上に所定配置パターンで表示していく。したがって始動メモリ数だけの画像が遊技情報表示装置１５００に表示され、遊技領域を狭めず且つ演出効果に富みようにして始動メモリ数を通知することが可能になる。
【００５２】
また、遊技機３００の主制御部２００は更に、始動メモリの消化時には格納されている制御情報を用いた制御を行い、消化制御が行われる旨の消化制御信号（第２の制御信号）を送信する。これに対して、遊技情報表示装置１５００は更に消化制御信号の受信に応答して、表示されている取り込み画像を１つずつ消去するので、始動メモリの消化時においても始動メモリ数と画像数とを一致させるこちができる。かくして遊技者は取り込み画像数を把握して始動メモリ数を把握することが可能になる。
【００５３】
しかも遊技情報表示装置１５００は、取り込み画像の表示画面と遊技情報表示画面とをボタン１５４０の操作に応じて切り替え可能としているため、遊技者はボタン操作で他の遊技情報も把握可能となる。
【００５４】
以上本発明の実施の形態について説明したが、本発明の要旨を逸脱しない範囲内で上記実施形態に種々の変形や変更を施すことが可能となる。例えば、取り込み画像を遊技者以外のものとするようにデジタルカメラ１５３０の視野を設定すること、等が挙げられる。また、取り込み画像を表示配置するパターンは左から右のみならが上から下等適宜定めうる。さらに、始動メモリ数が増加されるのは大役動作中（大当り判定の結果、大入賞口１０６の開閉動作中）に特別図柄始動口１０４に遊技球が入賞される場合を含めても良い。
【発明の効果】
以上説明したように、本発明によれば、始動メモリ数だけの画像が遊技情報表示装置に表示され、遊技領域を狭めず且つ演出効果に富むようにして始動メモリ数を通知することが可能になるという効果が得られる。
【図面の簡単な説明】
【図１】遊技盤１０の模式的な説明図である。
【図２】遊技機の制御ブロック図である。
【図３】特別図柄表示装置１００のブロック構成図である。
【図４】キャラクタＲＯＭメモリマップ、パレットデータの説明図である。
【図５】コマンド送受信のタイミングを示すタイミングチャートである。
【図６】コマンドデータテーブル領域２０２に格納されるコマンドの説明図である。
【図７】コマンドデータテーブル領域２０２に格納されるコマンドの説明図である。
【図８】コマンドデータテーブル領域２０２に格納されるコマンドの説明図である。
【図９】コマンドデータテーブル領域２０２に格納されるコマンドの説明図である。
【図１０】遊技機の遊技制御動作を説明するためのゼネラルフローチャートである。
【図１１】特別図柄表示装置１００のＣＰＵ１０２０の制御動作を説明するためのフローチャートである。
【図１２】コマンドのデータ構造の説明図である。
【図１３】図柄表示のためのコマンド送信タイミングを示すタイミングチャートである。
【図１４】送信コマンドの説明図である。
【図１５】遊技機島１の説明図である。
【図１６】遊技情報表示装置１５００の正面の模式的説明図である。
【図１７】遊技情報表示装置１５００のブロック構成図である。
【図１８】テーブル１８００の説明図である。
【図１９】表示画面１５２１の説明図である。
【図２０】動作例を説明するフローチャートである。
【図２１】表示画面１５２１の説明図である。
【符号の説明】
１０　遊技盤
１００　特別図柄表示装置
２００　主制御部
２０１　ＲＯＭ
２０２　コマンドデータテーブル領域
２０３　ＲＡＭ
１５００　遊技情報表示装置
１５１０　ランプ
１５２０　ＬＣＤパネル
１７００　ＣＰＵ
１７１０　ＲＯＭ
１７２０　ＲＡＭ
１７３０　音声合成ＬＳＩ
１７４０　スピーカー
２００１　ＬＥＤ
２００２　ＬＥＤ
２００３　ＬＥＤ
３０００　遊技機
【図１】
2004041462.tif 000003
【図２】
2004041462.tif 000004
【図３】
2004041462.tif 000005
【図４】
2004041462.tif 000006
【図５】
2004041462.tif 000007
【図６】
2004041462.tif 000008
【図７】
2004041462.tif 000009
【図８】
2004041462.tif 000010
【図９】
2004041462.tif 000011
【図１０】
2004041462.tif 000012
【図１１】
2004041462.tif 000013
【図１２】
2004041462.tif 000014
【図１３】
2004041462.tif 000015
【図１４】
2004041462.tif 000016
【図１５】
2004041462.tif 000017
【図１６】
2004041462.tif 000018
【図１７】
2004041462.tif 000019
【図１８】
2004041462.tif 000020
【図１９】
2004041462.tif 000021
【図２０】
2004041462.tif 000022
【図２１】
2004041462.tif 000023